【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
骨破片をもたらす骨の切削を伴う外科手術中に、手術部位の吸引において使用するための吸引ワンドであって、前記吸引ワンドは、
ハンドルと、
接続部において前記ハンドルに取り付けられたヘッド部分であって、前記ヘッド部分は、管状部材を備える、ヘッド部分と、
少なくとも部分的に前記ヘッド部分に配置された吸引導管であって、部分的に吸引経路を画定する吸引導管と、
前記吸引導管の端部における吸引先端であって、前記吸引経路は、前記吸引先端から、前記吸引先端から遠隔の前記吸引経路の真空源端まで延在する、吸引先端と、
骨破片を保持するためのフィルタスクリーンであって、前記フィルタスクリーンは、前記吸引経路において配置され、先端方向に面する第１の側と、真空源方向に面する反対の第２の側とを有する、フィルタスクリーンと、
ガス源と流体連通するように適合されたＣＯ２ガス導管であって、前記ＣＯ２ガス導管は、少なくとも部分的に前記ハンドルに配置され、部分的にＣＯ２経路を画定し、前記ＣＯ２ガス導管は、ＣＯ２ガス主要導管区分を含み、ＣＯ２ガスは、前記ＣＯ２ガス主要導管区分を流動し、前記先端に向かう方向に前記吸引導管の中へ移動され、その結果、前記ＣＯ２ガスが、前記真空方向に面する前記第２の側から前記先端方向に、前記先端方向に面する前記フィルタスクリーンの前記第１の側の外へ、前記フィルタスクリーンを通過することにより、前記フィルタの第１の側から破片を排出する、ＣＯ２ガス導管と、
ＣＯ２ガスが、前記ＣＯ２ガス導管を通り、前記吸引先端に向かって前記吸引導管の中へ流動する開放位置と、ＣＯ２ガスが、前記吸引導管の中へ流動しない閉鎖位置との間で動作可能なＣＯ２ガス導管弁と
を備える、吸引ワンド。
【請求項２】
前記吸引導管の内部の中を延在するＣＯ２ガス導管延長部を備え、前記ＣＯ２ス導管延長部は、ＣＯ２ガスを、直接前記吸引先端に移動させる、請求項１に記載の吸引ワンド。
【請求項３】
前記ＣＯ２ガス導管延長部は、前記ＣＯ２ガス主要導管区分の内径より小さい内径を有する、請求項２に記載の吸引ワンド。
【請求項４】
前記吸引導管の中心軸は、前記ＣＯ２ガス導管延長部の中心軸と一致する、請求項２に記載の吸引ワンド。
【請求項５】
前記ＣＯ２ガス導管延長部の内径は、約１／１６インチから約１／８インチである、請求項３に記載の吸引ワンド。
【請求項６】
前記ＣＯ２ガス導管延長部の内径は、約３／３２インチである、請求項３に記載の吸引ワンド。
【請求項７】
前記ＣＯ２ガス導管延長部は、前記フィルタスクリーンから約１／４から約３／４離間された先端で終端する、請求項２に記載の吸引ワンド。
【請求項８】
前記フィルタスクリーンは、前記吸引導管の中にある、請求項１に記載の吸引ワンド。
【請求項９】
前記フィルタスクリーンは、前記吸引先端にある、請求項７に記載の吸引ワンド。
【請求項１０】
前記ＣＯ２ガス導管延長部は、前記ヘッド部分の前記管状部材内の前記吸引導管の中心軸と平行である中心軸を有する、請求項２に記載の吸引ワンド。
【請求項１１】
前記ＣＯ２ガス導管延長部は、前記ヘッド部分の前記管状部材内の前記吸引導管の中心軸と一致する中心軸を有する、請求項２に記載の吸引ワンド。
【請求項１２】
前記ＣＯ２ガス導管弁は、ボール弁である、請求項１に記載の吸引ワンド。
【請求項１３】
前記ＣＯ２ガス導管弁と一体の吸引導管弁をさらに備え、前記ＣＯ２ガス導管弁がその開放位置にある場合に、前記吸引導管弁は、閉鎖位置にあり、前記ＣＯ２ガス導管弁がその閉鎖位置にある場合に、前記吸引導管弁は、開放位置にある、請求項１に記載の吸引ワンド。
【請求項１４】
前記ＣＯ２導管が前記ガス源に接続された場合に、前記ＣＯ２導管は、前記吸引先端において、約５０ｐｓｉのガス圧力を生成するように構成されている、請求項１に記載の吸引ワンド。
【請求項１５】
前記ＣＯ２ガス導管と前記吸引導管との間に恒久的Ｙ接合部を備え、前記フィルタの第１の側から破片を排出するために、前記先端に向かう方向に前記吸引導管の中へＣＯ２ガスを移動させる、請求項１に記載の吸引ワンド。
【手続補正２】
【補正対象書類名】明細書
【補正対象項目名】００１１
【補正方法】変更
【補正の内容】
【００１１】
他の目的および特徴は、以下において、部分的に明白となり、部分的に指摘されるであろう。
本願明細書は、例えば、以下の項目も提供する。
（項目１）
骨破片をもたらす骨の切削を伴う外科手術中に、手術部位の吸引において使用するための吸引ワンドであって、
ハンドルと、
少なくとも部分的に前記ハンドルに配置された吸引導管であって、部分的に吸引経路を画定する吸引導管と、
前記吸引導管の端部における吸引先端であって、前記吸引経路は、前記吸引先端から前記ハンドルを通って延在し、前記吸引導管は、前記吸引先端から遠隔の前記吸引経路の真空源端において真空源と連通するように適合されている、吸引先端と、
骨破片を保持するためのフィルタスクリーンであって、前記フィルタスクリーンは、前記吸引経路において配置され、先端方向に面する第１の側と、真空源方向に面する反対の第２の側とを有する、フィルタスクリーンと、
ガス源と流体連通するように適合されたＣＯ２ガス導管であって、少なくとも部分的に前記ハンドルに配置され、部分的にＣＯ２経路を画定し、前記ＣＯ２ガス導管は、ＣＯ２ガス主要導管区分を含み、ＣＯ２ガスは、前記ＣＯ２ガス主要導管区分を流動し、前記先端に向かう方向に前記吸引導管の中へ移動され、その結果、前記ＣＯ２ガスが、前記真空方向に面する前記第２の側から前記先端方向に、前記先端方向に面する前記フィルタスクリーンの前記第１の側の外へ、前記フィルタスクリーンを通過することにより、前記フィルタの第１の側から破片を排出する、ＣＯ２ガス導管と、
ＣＯ２ガスが、前記ＣＯ２ガス導管を通り、前記吸引先端に向かって前記吸引導管の中へ流動する開放位置と、ＣＯ２ガスが、前記吸引導管の中へ流動しない閉鎖位置との間で動作可能なＣＯ２ガス導管弁と
を備える、吸引ワンド。
（項目２）
前記吸引導管の内部の中を延在するＣＯ２ガス導管延長部を備え、前記ＣＯ２ス導管延長部は、ＣＯ２ガスを、直接前記吸引先端に移動させる、項目１に記載の吸引ワンド。
（項目３）
前記ＣＯ２ガス導管延長部は、前記ＣＯ２ガス主要導管区分の内径より小さい内径を有する、項目２に記載の吸引ワンド。
（項目４）
前記吸引導管の中心軸は、前記ＣＯ２ガス導管延長部の中心軸と一致する、項目２に記載の吸引ワンド。
（項目５）
前記ＣＯ２ガス導管延長部の内径は、約１／１６インチから約１／８インチである、項目３に記載の吸引ワンド。
（項目６）
前記ＣＯ２ガス導管延長部の内径は、約３／３２インチである、項目３に記載の吸引ワンド。
（項目７）
前記ＣＯ２ガス導管延長部は、前記フィルタスクリーンから約１／４から約３／４離間された先端で終端する、項目２に記載の吸引ワンド。
（項目８）
前記フィルタスクリーンは、前記吸引導管の中にある、項目１に記載の吸引ワンド。
（項目９）
前記フィルタスクリーンは、前記吸引先端にある、項目７に記載の吸引ワンド。
（項目１０）
前記フィルタスクリーンは、ワイヤメッシュを備え、前記ワイヤメッシュは、一式の平行水平ワイヤと、前記水平ワイヤと織られた一式の平行垂直ワイヤとを含むことによって前記ワイヤの間に間隙を形成し、前記間隙は、前記ワンドが吸引モードにある場合に、前記スクリーン上に破片を保持し、前記ワンドがＣＯ２圧力モードにある場合に、強風のＣＯ２を前記保持された破片に衝突させ、前記破片を前記スクリーンから排出するように定寸および配置されている、項目１に記載の吸引ワンド。
（項目１１）
前記水平および垂直ワイヤは両方とも、約０．０１０インチから約０．０２インチの断面直径を有する、項目８に記載の吸引ワンド。
（項目１２）
前記間隙は、前記フィルタスクリーンの総表面積の約４９％から約５４％を占める、項目８に記載の吸引ワンド。
（項目１３）
前記ＣＯ２ガス導管延長部は、少なくとも、前記吸引先端から前記ハンドルに戻るまでの区画において、前記吸引導管の中心軸と平行である、中心軸を有する、項目２に記載の吸引ワンド。
（項目１４）
前記ＣＯ２ガス導管延長部は、少なくとも、前記吸引先端から前記ハンドルに戻るまでの区画において、前記吸引導管の中心軸と一致する中心軸を有する、項目２に記載の吸引ワンド。
（項目１５）
前記ＣＯ２ガス導管弁は、ボール弁である、項目１に記載の吸引ワンド。
（項目１６）
前記ＣＯ２ガス導管弁と一体の吸引導管弁をさらに備え、前記ＣＯ２ガス導管弁がその開放位置にある場合に、前記吸引導管弁は、閉鎖位置にあり、前記ＣＯ２ガス導管弁がその閉鎖位置にある場合に、前記吸引導管弁は、開放位置にある、項目１に記載の吸引ワンド。
（項目１７）
前記ＣＯ２導管が前記ガス源に接続された場合に、前記ＣＯ２導管は、前記吸引先端において、約５０ｐｓｉのガス圧力を生成するように構成されている、項目１に記載の吸引ワンド。
（項目１８）
前記ＣＯ２ガス導管と前記吸引導管との間に恒久的Ｙ接合部を備え、前記フィルタの第１の側から破片を排出するために、前記先端に向かう方向に前記吸引導管の中へＣＯ２ガスを移動させる、項目１に記載の吸引ワンド。
（項目１９）
骨破片をもたらす整形外科手術中に、手術部位の吸引において使用するための吸引ワンドであって、
ハンドルと、
少なくとも部分的に前記ハンドルに配置された吸引導管であって、部分的に吸引経路を画定する吸引導管と、
前記吸引導管の端部における吸引先端であって、前記吸引経路は、前記吸引先端から遠隔の前記吸引経路の真空源端部において真空源と連通するように適合され、前記吸引経路は、前記吸引先端から前記吸引導管を通って前記真空源まで延在する、吸引先端と、
ガス源と流体連通するように適合されたＣＯ２ガス導管であって、少なくとも部分的に前記ハンドルに配置され、部分的にＣＯ２経路を画定するＣＯ２ガス導管と、
ＣＯ２ガスが、前記ガス源から前記ＣＯ２導管を通り、前記吸引先端から出るように流動する開放位置と、ＣＯ２ガスが、前記吸引先端から流出しない閉鎖位置との間で動作可能なＣＯ２ガス導管弁と、
手術中に生成される骨破片を保持するために、前記吸引経路に配置されたフィルタスクリーンであって、前記フィルタスクリーンは、ワイヤメッシュを備え、前記ワイヤメッシュは、一式の平行水平ワイヤと、前記水平ワイヤと織られた一式の平行垂直ワイヤとを含むことによって前記ワイヤの間の間隙を形成し、前記間隙は、前記ワンドが吸引モードにある場合に、前記スクリーン上に骨破片を保持し、前記ワンドがＣＯ２圧力モードにある場合に、強風のＣＯ２を前記保持された破片に衝突させ、前記破片を前記スクリーンから排出するように定寸および配置されている、フィルタスクリーンと
を備える、吸引ワンド。
（項目２０）
前記フィルタスクリーンは、前記吸引先端にある、項目１９に記載の吸引ワンド。
（項目２１）
前記間隙は、前記フィルタスクリーンの総表面積の約４９％から約５４％を占める、項目１９に記載の吸引ワンド。
（項目２２）
前記フィルタスクリーンは、平方インチあたり約１２から約３０の間隙を備える、項目１９に記載の吸引ワンド。
（項目２３）
前記水平および垂直ワイヤは両方とも、約０．０１０インチから約０．０２インチの断面直径を有する、項目１９に記載の吸引ワンド。
（項目２４）
骨破片をもたらす骨の切削を伴う外科手術中に、手術部位の吸引において使用するための吸引ワンドであって、
ハンドルと、
少なくとも部分的に前記ハンドルに配置された吸引導管であって、部分的に吸引経路を画定する吸引導管と、
前記吸引導管の端部の吸引先端であって、前記吸引経路は、前記吸引先端から前記ハンドルを通って延在し、前記吸引導管は、前記吸引先端から遠隔の前記吸引経路の真空源端において真空源と連通するように適合されている、吸引先端と、
骨破片を保持するためのフィルタスクリーンであって、前記吸引経路に配置され、先端方向に面する第１の側と、真空源方向に面する反対の第２の側とを有するフィルタスクリーンと、
ガス源と流体連通するように適合されたＣＯ２ガス導管であって、少なくとも部分的に前記ハンドルに配置され、部分的にＣＯ２経路を画定し、前記ＣＯ２ガス導管は、ＣＯ２ガス主要導管区分を含み、ＣＯ２ガスは、前記ＣＯ２ガス主要導管区分を流動し、前記先端に向かう方向に前記吸引導管の中へ移動され、その結果、前記ＣＯ２ガスが、前記真空方向に面する前記第２の側から前記先端方向に、前記先端方向に面する前記フィルタスクリーンの前記第１の側の外へ、前記フィルタスクリーンを通過することにより、前記フィルタの第１の側から破片を排出する、ＣＯ２ガス導管と、
前記吸引導管の内部の中に延在するＣＯ２ガス導管延長部であって、ＣＯ２ガスを、直接前記吸引先端に移動させ、前記吸引導管の中心軸は、前記ＣＯ２ガス導管延長部の中心軸と一致し、前記ＣＯ２ガス導管延長部は、前記フィルタスクリーンから約１／４から約３／４離間された先端で終端する、ＣＯ２ガス導管延長部と、
ＣＯ２ガスが、前記ＣＯ２ガス導管を通して、前記吸引先端に向かって前記吸引導管の中へ流動する開放位置と、ＣＯ２ガスが前記吸引導管の中へ流動しない閉鎖位置との間で動作可能なＣＯ２ガス導管弁と
を備える、吸引ワンド。